(57)【要約】【課題】  画像表示装置に表示した画像の少なくとも一部を、プロジェクタが取り込み、取り込んだ画像をプロジェクタが投写する際、画像表示装置に表示した画像上における、プロジェクタが投写する個所を容易に把握する。【解決手段】  画像表示システム１は、電子携帯端末１００と、プロジェクタ２００とが所定のインターフェイスを介して接続され、電子携帯端末１００は、設置した面１０上における自身の位置を検出する位置検出部１３０と、前記位置に基づいて表示媒体１５４上の領域を決定する抽出領域決定部１５９と、前記領域に表示される画像を抽出する画像抽出部１５５と、前記抽出した画像をプロジェクタ２００に送信する送信部１５７とを備え、画像抽出部１５５が抽出した画像は、プロジェクタ２００で表示される。【選択図】      図１
2006092089.tif 000002
【特許請求の範囲】
【請求項１】
入力したデータを表示媒体に表示する画像表示装置と、入力したデータに基いて生成した画像を投写して表示する投写型表示装置とが所定のインターフェイスを介して接続された画像表示システムであって、
前記画像表示装置が移動した位置に応じて、前記表示媒体上における所定の領域が決定されると共に、
前記所定の領域内に表示される画像が前記投写型表示装置で表示されることを特徴とする画像表示システム。
【請求項２】
入力したデータを表示媒体に表示する画像表示装置であって、
前記画像表示装置を設置した面上における前記画像表示装置自身の位置を検出する位置検出部と、
検出した前記位置に基づいて、前記表示媒体上の領域を決定する領域決定部と、
前記領域に表示される画像を抽出する画像抽出部と、
前記抽出した画像を外部に出力する画像出力部とを
備えることを特徴とする画像表示装置。
【請求項３】
請求項２に記載の画像表示装置において、
前記領域の大きさを設定する領域設定部を更に備えることを特徴とする画像表示装置。
【請求項４】
請求項２乃至３のいずれかに記載の画像表示装置において、
前記位置検出部は、前記画像表示装置が前記面上を移動する移動量に基づき算出することを特徴とする画像表示装置。
【請求項５】
請求項１に記載の画像表示システムにおいて、
前記画像表示装置は、前記画像表示装置を設置した面上における前記画像表示装置の位置を検出する位置検出部と、前記位置に基づいて前記表示媒体上の領域を決定する領域決定部とを含み、
前記投写型表示装置は、前記表示媒体上の前記領域に表示される画像を抽出する画像抽出部を含むことを特徴とする画像表示システム。
【発明の詳細な説明】
【技術分野】
【０００１】
本発明は、画像を表示する画像表示装置および画像表示システムに関する。
【背景技術】
【０００２】
従来、画像表示装置に表示した画像を、プロジェクタが取り込み、取り込んだ画像をプロジェクタが投写する方法としては、下記の特許文献１に記載されるように、画像表示装置に表示される画像と略同一の画像の信号を、ケーブルを介してプロジェクタに送り、プロジェクタ側では、受信した画像の信号に基いて生成した画像を投写していた。
【０００３】
【特許文献１】特開２００４−６９９９６号公報
【発明の開示】
【発明が解決しようとする課題】
【０００４】
しかしながら、従来の方法では、画像表示装置に表示された画像と略同一の画像がプロジェクタに表示されるため、例えば、画像表示装置に表示されている文書の一部を拡大表示した場合、プロジェクタで投写されている画像が、文書全体のどこに該当するかを把握することが困難であった。
【課題を解決するための手段】
【０００５】
上記した課題を解決するために、本発明の画像表示システムは、入力したデータを表示媒体に表示する画像表示装置と、入力したデータに基いて生成した画像を投写して表示する投写型表示装置とが所定のインターフェイスを介して接続された画像表示システムであって、前記画像表示装置が移動した位置に応じて、前記表示媒体上における所定の領域が決定されると共に、前記所定の領域内に表示される画像が前記投写型表示装置で表示されることを特徴とする。
【０００６】
本発明の画像表示システムによれば、画像表示装置の表示媒体上における所定の領域は、この画像表示装置の移動した位置に応じて決定されることに加え、この所定の領域で表示される画像は、投写型表示装置で投射される。従って、この画像表示システムの使用者は、画像表示装置の表示媒体が表示する画像と、投写型表示装置が投射して表示する画像とを略同時に視認できるため、表示媒体が表示する画像上における、投写型表示装置が表示する個所を容易に把握できる。
【０００７】
上記した課題を解決するために、本発明の画像表示装置は、入力したデータを表示媒体に表示する画像表示装置であって、前記画像表示装置を設置した面上における前記画像表示装置自身の位置を検出する位置検出部と、検出した前記位置に基づいて、前記表示媒体上の領域を決定する領域決定部と、前記領域に表示される画像を抽出する画像抽出部と、前記抽出した画像を外部に出力する画像出力部とを備える。
【０００８】
上記構成によれば、画像表示装置の表示媒体上における領域は、この画像表示装置の移動した位置に応じて決定されることに加え、この領域に表示されている画像は、抽出された後、外部に出力される。
【０００９】
本発明の画像表示装置は、前記領域の大きさを設定する領域設定部を更に備えることが好ましい。
【００１０】
この発明によれば、領域設定部で領域の大きさを設定できるため、外部に出力する画像の範囲を容易に調整できる。
【００１１】
本発明の画像表示装置では、前記位置検出部は、前記画像表示装置が前記面上を移動する移動量に基づき算出しても良い。
【００１２】
この発明によれば、画像表示装置は、この画像表示装置が設置された面上を移動する移動量から自身の位置を算出するため、位置を算出するための基準点の設置が不要で、画像表示装置が設置可能な面であれば、画像表示装置の位置を検出できる。
【００１３】
本発明の画像表示システムでは、前記画像表示装置は、前記画像表示装置を設置した面上における前記画像表示装置の位置を検出する位置検出部と、前記位置に基づいて前記表示媒体上の領域を決定する領域決定部とを含み、前記投写型表示装置は、前記表示媒体上の前記領域に表示される画像を抽出する画像抽出部を含むことが好ましい。
【００１４】
この発明によれば、投写型表示装置に画像抽出部を設けたことで、画像表示装置の処理の負荷が分散され、画像表示システムとしての種々の機能を効率的に処理できる。
【発明を実施するための最良の形態】
【００１５】
以下、本発明の実施形態を図面に基いて説明する。
（実施形態１）
【００１６】
図１は、本実施形態１に係る画像表示システム１の外観を示す斜視図である。この画像表示システム１は、電子携帯端末１００と、プロジェクタ２００とを備えて構成される。
電子携帯端末１００は、入力したデータを表示する画像表示装置の一つであり、外観視、平板形状で、平面１０上に設置されている。この電子携帯端末１００の表面部には、液晶表示体１２５と、この電子携帯端末１００を操作する操作ボタン１２０とが配置されている。
また、裏面部は、一部が平面１０と接すると共に、この裏面部に配置された位置検出部１３０（図４）の移動検出ボール１３１も平面１０と接するように配置されている。位置検出部１３０の構成については、後述する。
更に、この電子携帯端末１００の一方の側面部には、アナログ画像信号を出力する接続端子１０５が配置される。このアナログ画像信号は、ＲＧＢ信号やコンポジット画像信号等である。
【００１７】
プロジェクタ２００は、入力したデータに基いて生成した画像を投写して表示する投写型表示装置の一つであり、外観視、直方体形状である。このプロジェクタ２００の一方の側面部には、投写レンズ２３１が配置されている。この投写レンズ２３１は、光学像を投写すると共に、投写された光学像は、投写レンズ２３１の投写方向に設置されたスクリーン上に投写画像２０として投写される。また、プロジェクタ２００の上面部には、このプロジェクタ２００を操作する操作ボタン２１７が配置されている。
また、このプロジェクタ２００の他方の側面部には、図示を略した接続端子が配置されている。この接続端子と、前記した電子携帯端末１００の接続端子１０５とは、ケーブル３０により接続され、電子携帯端末１００から出力されたアナログ画像信号は、プロジェクタ２００に送られるように構成されている。
更に、この画像表示システム１において、電子携帯端末１００の液晶表示体１２５には、表示領域１２８が表示されると共に、この表示領域１２８内に表示されている内容は、プロジェクタ２００により、投写画像２０として投写される機能を有している。この機能については、後述する。
【００１８】
（ハードウェア構成）
次に、電子携帯端末１００のハードウェアについて説明する。図２は、この電子携帯端末１００のハードウェアの構成を示す図である。この電子携帯端末１００のハードウェアは、ＣＰＵ（Central Processing Unit）１１０と、ＲＯＭ（Read Only Memory）１１１と、ＲＡＭ（Random Access Memory）１１２と、フラッシュメモリ１１３と、ディスプレイコントローラ１１４と、ＶＲＡＭ（Video RAM）１１５と、メディアドライブ１１６と、操作入力部インターフェイス１１７と、通信インターフェイス１１８と、Ａ／Ｄ変換器１３６とを備える。これらのハードウェア資源は、バス１１９で互いに接続されている。
【００１９】
ＣＰＵ１１０は、表示制御手段を構成し、ＲＯＭ１１１に格納されているプログラムを必要に応じて読み出し、当該読み出したプログラムをＲＡＭ１１２に展開して記憶する。加えて、このＣＰＵ１１０は、ＲＡＭ１１２に展開されているプログラムを、必要に応じて読み出し実行することにより、電子携帯端末１００の各ハードウェア資源を制御するように構成されている。
ＶＲＡＭ１１５は、ＣＰＵ１１０からの指示により、液晶表示体１２５に表示するための画像データを書き込むバッファである。
ディスプレイコントローラ１１４は、ＣＰＵ１１０からの指示に従って、ＶＲＡＭ１１５に格納された画像データを表示信号に変換して、液晶表示体１２５に表示させる。
フラッシュメモリ１１３は、ＣＰＵ１１０からの指示に従って、データを一時的に記憶する記憶手段である。
通信インターフェイス１１８は、送信部１５７（図５）を構成すると共に、接続したプロジェクタ２００にアナログ画像信号を送信するるためのインターフェイスである。
メディアドライブ１１６は、記録メディア９０の情報の読み出しを行う装置であり、記録メディア９０としては、例えばコンパクトフラッシュ（登録商標）などを採用できる。
Ａ／Ｄ変換器１３６は、位置検出部１３０（図４）が有するロータリエンコーダ１３３が出力するアナログ信号を入力して、デジタル信号に変換する。
【００２０】
次に、プロジェクタ２００のハードウェアについて説明する。図３は、このプロジェクタ２００のハードウェアの構成を示す図である。このプロジェクタ２００のハードウェアは、ＣＰＵ２１０と、ＲＯＭ２１１と、ＲＡＭ２１２と、操作入力部インターフェイス２１６と、通信インターフェイス２１３と、画像信号処理コントローラ２１４と、液晶ライトバルブコントローラ２１５とを備える。これらのハードウェア資源は、バス２１８で互いに接続されている。
ＣＰＵ２１０は、ＲＯＭ２１１に格納されているプログラムを必要に応じて読み出すと共に、この読み出したプログラムをＲＡＭ２１２に展開して記憶する。加えて、このＣＰＵ２１０は、ＲＡＭ２１２に展開されているプログラムを、必要に応じて読み出して実行することにより、プロジェクタ２００の各ハードウェア資源を制御するように構成されている。
通信インターフェイス２１３は、受信部２５０（図５）を構成すると共に、電子携帯端末１００から送信されるアナログ画像信号を受信するインターフェイスである。
画像信号処理コントローラ２１４は、電子携帯端末１００から受信したアナログ画像信号をデジタル画像信号にＡ／Ｄ変換した後、変換したデジタル画像信号にガンマ補正等の画像処理を施す。また、前記信号を画像メモリ２１９に書き込んで一時記憶する。
液晶ライトバルブコントローラ２１５は、投写画像生成光学系２２０の液晶ライトバルブ２２４を駆動する。
【００２１】
（プロジェクタの光学系の構成および機能）
次に、プロジェクタ２００の光学系の概略を説明する。このプロジェクタ２００の光学系は、ライトガイドと呼ばれる光学部品の筐体内部に組み込まれて構成される投写画像生成光学系２２０と、この投写画像生成光学系２２０が生成した投写画像を投写する投写光学系２３０とを備えて構成される。
投写画像生成光学系２２０は、発光部２２１と、光源光学系２２２と、色分離光学系２２３と、液晶ライトバルブ２２４と、色合成光学系２２５とを有する。
発光部２２１は、図示を略した放射光源としての光源ランプおよびリフレクタを備え、この光源ランプから射出された放射状の光束は、リフレクタで反射されて略平行光束となり、外部へと射出される。
光源光学系２２２は、発光部２２１から射出された光束の強度の分布を、図示を略したレンズアレイにより略均一にする。
【００２２】
色分離光学系２２３は、光源光学系２２２から出射される照明光を、図示を略したダイクロイックミラーにより、それぞれ異なる波長域の３色の光、即ち、赤、緑、青の色光に分離する。
液晶ライトバルブ２２４は、例えば、ポリシリコンＴＦＴをスイッチング素子として用いたものであり、色分離光学系２２３により分離された色光毎にそれぞれ備えられ、液晶ライトバルブコントローラ２１５から入力される画像情報に従って、それぞれの光入射面から入射した色光を変調し、変調した光を透過光として出射する。
色合成光学系２２５は、図示を略したクロスダイクロイックプリズムにより、各色光の液晶ライトバルブ２１５から出射される各色の変調光を合成してカラー画像を表す光を出射する。
投写光学系２３０は、色合成光学系２２５が射出した画像を、スクリーンに投写する。なお、投写光学系２３０には、ズーム機能付きの投写レンズ（図示せず）が備えられており、投写される画像の変倍（拡大や縮小）が可能になっている。
【００２３】
（位置検出部の構成および機能）
次に、電子携帯端末１００の位置検出部１３０について説明する。図４は、位置検出部１３０の構成を示す図である。この位置検出部１３０は、移動検出ボール１３１と、ローラ１３２と、ガイドローラ（図示せず）と、ローラ１３２の回転を電気信号に変換するロータリエンコーダ１３３とを備える。また、電気信号を処理する機能部として、Ｘ軸回転数算出部１３４Ａと、Ｙ軸回転数算出部１３４Ｂと、演算部１３５とを備える。尚、Ｘ軸回転数算出部１３４Ａ、Ｙ軸回転数算出部１３４Ｂおよび演算部１３５は、前記したＣＰＵ１１０，ＲＡＭ１１２およびＲＯＭ１１１などのハードウェア資源と、このＲＯＭ１１１などに記憶されたソフトウェアとが有機的に協働させることで、これらの機能を実現している。
移動検出ボール１３１は、例えば、硬質ゴムで形成され、電子携帯端末１００が面１０上を移動するのに伴い回転する。
ローラ１３２は、移動検出ボール１３１に接すると共に、互いに直交する２つの位置に配置される。従って、移動検出ボール１３１の回転は、それぞれのローラ（１３２Ａ，１３２Ｂ）に分割されて伝わる。
ガイドローラは、弾性部材で形成され、移動検出ボール１３１をローラ１３２に押さえつけるように配置される。
【００２４】
ロータリエンコーダ（１３３Ａ，１３３Ｂ）は、それぞれのローラ（１３２Ａ，１３２Ｂ）と直結されて接続される。従って、直交する２つ方向（Ｘ軸、Ｙ軸）に分割された移動検出ボール１３１の回転は、それぞれのロータリエンコーダ（１３３Ａ，１３３Ｂ）で電気信号に変換される。
ここで、一方のロータリエンコーダ１３３Ａで変換された電気信号は、Ｙ軸回転数算出部１３４Ｂに送られ、回転数が算出される。同様に、他方のロータリエンコーダ１３３Ｂで変換された電気信号は、Ｘ軸回転数算出部１３４Ａに送られ、回転数が算出される。
次に、算出されたそれぞれの回転数は、演算部１３５に送られる。この演算部１３５では、移動検出ボール１３１とローラ１３２との直径比率に基き、移動検出ボール１３１の回転開始時からのＸ軸方向の移動量およびＹ軸方向の移動量を演算することで算出する。
【００２５】
（画像表示システムの機能）
次に、画像表示システム１の各機能について説明する。図５は、画像表示システム１の機能を示すブロック図である。
この画像表示システム１において、電子携帯端末１００は、データ入力部１５０と、記憶部１５１と、描画処理部１５２と、表示制御部１５３と、表示媒体１５４と、表示領域描画部１５８と、画像抽出部１５５と、画像信号生成部１５６と、抽出領域決定部１５９と、位置検出部１３０と、抽出領域設定部１６０と、送信部１５７とを有する。
データ入力部１５０は、メディアドライブ１１６で構成され、メディアドライブ１１６に装填された記録メディア９０からデータが格納されたファイルを読み出す。
記憶部１５１は、フラッシュメモリ１１３で構成され、データ入力部１５０から入力したデータが格納されたファイルを記憶する。
描画処理部１５２は、ＶＲＡＭ１１５で構成され、データが格納されたファイルから、表示媒体１５４で表示する画像データを生成する。
表示媒体１５４は、液晶表示体１２５で構成される。この液晶表示体１２５は、透過型および反射型のどちらでも良く、更に、表示記憶性を有していても良い。
表示制御部１５３は、ディスプレイコントローラ１１４で構成され、描画処理部１５２で生成した画像データを液晶表示体１２５で表示可能な表示信号に変換する。
【００２６】
抽出領域設定部１６０は、液晶表示体１２５が表示する領域の中から、プロジェクタ２００で表示する領域の大きさを設定する。尚、本実施形態１では、プロジェクタ２００で表示する領域の大きさは、予めＲＯＭ１１１に記憶されているが、この抽出領域設定部１６０により、操作ボタン１２０による所定の操作でも設定できる。
抽出領域決定部１５９は、抽出領域設定部１６０で設定した表示する領域の大きさおよび、位置検出部１３０で検出した電子携帯端末１００の位置情報に基いて、液晶表示体１２５に表示される表示データの中から、プロジェクタ２００で表示する表示領域１２８を決定する。尚、本実施形態１では、画像表示システム１を起動した直後において、位置検出部１３０は、例えば、液晶表示体１２５の略左上位置もしくは、略中央位置にこの表示領域１２８が来るように設定されている。
画像抽出部１５５は、液晶表示体１２５に表示する画像データの中から、抽出領域決定部１５９で決定した表示領域１２８に含まれる画像データを抽出する。具体的には、ＶＲＡＭ１１５に格納された画像データの中から、抽出領域決定部１５９で決定した表示領域１２８に含まれる画像データを抽出する。
画像信号生成部１５６は、画像抽出部１５５が抽出した画像データから、アナログ画像信号を生成する。
送信部１５７は、画像出力部を構成し、画像信号生成部１５６が生成したアナログ画像信号を、プロジェクタ２００のような外部の機器に出力する。
表示領域描画部１５８は、抽出領域決定部１５９で決定した表示領域１２８を、表示媒体１５４に表示するための画像データを生成すると共に、描画処理部１５２が生成した画像データに重ねて描画する。
ここで、抽出領域決定部１５９と、画像抽出部１５５と、画像信号生成部１５６と、表示領域描画部１５８と、抽出領域設定部１６０とは、前記した位置検出部１３０と同様に、ＣＰＵ１１０、ＲＡＭ１１２およびＲＯＭ１１１などのハードウェア資源と、このＲＯＭ１１１などに記憶されたソフトウェアとが有機的に協働させることで、これらの機能を実現している。
【００２７】
また、この画像表示システム１において、プロジェクタ２００は、受信部２５０と、投写信号生成部２５５と、前記した光学系とを有する。
受信部２５０は、電子携帯端末１００の送信部１５７から出力されるアナログ画像信号を受信する。
投写信号生成部２５５は、受信したアナログ画像データから投写可能な画像の信号を生成する。この投写信号生成部２５５は、前記したＣＰＵ２１０、ＲＡＭ２１２、ＲＯＭ２１１、画像信号処理コントローラ２１４および液晶ライトバルブコントローラ２１５などのハードウェア資源と、このＲＯＭ２１１などに記憶されたソフトウェアとが有機的に協働させることで、これらの機能を実現している。
【００２８】
（画像表示システムの動作説明）
次に、画像表示システム１の動作について説明する。図６は、画像表示システム１の動作の一例を示す図である。
画像表示システム１を稼動すると、電子携帯端末１００Ａのデータ入力部１５０からファイル形式で入力されたデータもしくは、記憶部１５１に記憶されているデータは、描画処理部１５２において、表示媒体１５４で表示可能な表示データに変換された後、表示制御部１５３で表示信号に変換されて液晶表示体１２５Ａに表示される。
加えて、液晶表示体１２５Ａには、予め設定された表示領域１２８Ａが重ねて表示される。
また、表示領域１２８Ａ内で表示されている画像データは、画像抽出部１５５で抽出された後、画像信号生成部１５６でアナログ画像信号が生成され、このアナログ信号は、送信部１５７からプロジェクタ２００の受信部２５０に送られる。
プロジェクタ２００の投写信号生成部２５５は、受信したアナログ画像信号に基いて液晶ライトバルブ２２４の表示信号を生成する。この表示信号により液晶ライトバルブ２２４は駆動され、投写画像生成光学系２２０において光学像が形成されると共に、この光学像は、投写光学系２３０により投写画像２０Ａとして投写される。
【００２９】
ここで、画像表示システム１の使用者が電子携帯端末１００Ａを平面１０Ａ上における右下方向に移動させて、平面１０Ｂ上の電子携帯端末１００Ｂのような位置になった場合について説明する。
電子携帯端末１００Ａが移動すると、位置検出部１３０は、移動量を検出した後、移動後の電子携帯端末１００Ｂの位置情報を抽出領域決定部１５９に送る。
抽出領域決定部１５９は、電子携帯端末１００Ａの位置情報から、移動した方向と反対の方向に、同じ移動量で移動した表示領域１２８Ｂを決定する。
この表示領域１２８Ｂ内で表示されている画像データは、前記と同様に、画像抽出部１５５で抽出された後、画像信号生成部１５６でアナログ画像信号が生成された後、送信部１５７からプロジェクタ２００の受信部２５０に送られる。
加えて、前記と同様に、プロジェクタ２００に送られたアナログ画像信号に基き、投写信号生成部２５５で生成した表示信号により、液晶ライトバルブ２２４は駆動される。この結果、投写画像生成光学系２２０で光学像が形成されると共に、この光学像は、投写光学系２３０により投写画像２０Ｂとして投写される。
また、表示領域描画部１５８は、描画された移動前の表示領域１２８Ａを消去した後、この表示領域１２８Ｂを、表示媒体１５４上に表示するために、表示領域１２８Ｂの画像データを生成すると共に、この画像データを、描画処理部１５２が生成した画像データに重ねて描画する。
更に、電子携帯端末１００が連続して移動した場合においても、上記した動作を繰返すことで、電子携帯端末１００の移動に合わせて、表示領域１２８が移動すると共に、この表示領域１２８内で表示されている画像データは、プロジェクタ２００により投写される。
【００３０】
以上述べたような実施形態１によれば、次のような効果がある。
（１）画像表示システム１として動作させるための抽出領域決定部１５９や画像抽出部１５５等を、電子携帯端末１００側に設けたため、プロジェクタ２００側には、特別な機能を追加する必要が無く、既存のプロジェクタを採用できる。
（実施形態２）
【００３１】
次に、本発明の実施形態２について、図７を参照して説明する。尚、以下の説明では、既に説明した部分と同一な部分については、同一符号を付してその説明を省略する。
図７は、本実施形態２の画像表示システム１の機能を示している。前記した実施形態１において、画像抽出部１５５は、電子携帯端末１００側のハードウェア資源と、ソフトウェアとを有機的に協働させることにより、その機能を実現していたが、本実施形態２の画像表示システム１では、画像抽出部２５６は、プロジェクタ２００側のハードウェア資源と、ソフトウェアとを有機的に協働させることで機能を実現する。
即ち、電子携帯端末１００側では、画像信号生成部１５６は、表示媒体１５４に描画する画像データと同一の画像データからアナログ画像信号を生成すると共に、送信部１５７は、このアナログ画像信号と、抽出領域決定部１５９が決定した表示領域１２８に関する情報の信号とをプロジェクタ２００に送信する。
プロジェクタ２００は、前記アナログ画像信号と、表示領域１２８に関する情報の信号とを受信部２５０で受信すると共に、投写信号生成部２５５に入力したアナログ画像信号に基き、液晶ライトバルブ２２４の駆動信号を生成する。次に、画像抽出部２５６は、投写信号生成部２５５が生成した駆動信号の中から、表示領域１２８に関する情報の信号に基き、表示領域１２８に含まれる画像の駆動信号を抽出する。ここで、抽出された画像の駆動信号により、液晶ライトバルブ２２４は駆動される。この結果、投写画像生成光学系２２０で光学像が形成されると共に、この光学像は、投写光学系２３０により投写画像２０として投写される。
このような実施形態２においても、以下のような効果を奏することができる。
（１）画像抽出部２５６をプロジェクタ２００側に設けることで、電子携帯端末１００の電力消費を抑えることができる。
【００３２】
以上、本発明を図示した実施形態に基づいて説明したが、本発明は、これに限定されるものではなく、以下に述べるような変形例も想定できる。
（１）電子携帯端末１００と、プロジェクタ２００との通信は、ケーブル３０を介した通信に限らず、無線や赤外光による通信でも良い。
（２）位置検出部１３０における移動検出は、移動検出ボール１３１の回転をロータリエンコーダ１３３で検出する方法に限らず、発光部および受光部を備えて移動面の画像を取得した後、取得した画像を画像処理して移動方向や移動量を検出しても良い。
【図面の簡単な説明】
【００３３】
【図１】本発明の実施形態１に係る画像表示システムの外観を示す斜視図。
【図２】前記実施形態における電子携帯端末のハードウェアの構成を示す図。
【図３】前記実施形態におけるプロジェクタのハードウェアの構成を示す図。
【図４】前記実施形態における位置検出部の構成を示す図。
【図５】前記実施形態における画像表示システムの機能を示すブロック図。
【図６】前記実施形態における画像表示システムの動作の一例を示す図。
【図７】本発明の実施形態２の画像表示システムの機能を示す図。
【符号の説明】
【００３４】
１…画像表示システム、１０…平面、２０…投写画像、３０…ケーブル、９０…記録メディア、１００…電子携帯端末、１０５…接続端子、１１０…ＣＰＵ、１１１…ＲＯＭ、１１２…ＲＡＭ、１１３…フラッシュメモリ、１１４…ディスプレイコントローラ、１１５…ＶＲＡＭ、１１６…メディアドライブ、１１７…操作入力部インターフェイス、１１８…通信インターフェイス、１１９…バス、１２０…操作ボタン、１２５…液晶表示体、１２８…表示領域、１３０…位置検出部、１３１…移動検出ボール、１３２…ローラ、１３３…ロータリエンコーダ、１３４Ａ…Ｘ軸回転数算出部、１３４Ｂ…Ｙ軸回転数算出部、１３５…演算部、１３６…Ａ／Ｄ変換器、１５０…データ入力部、１５１…記憶部、１５２…描画処理部、１５３…表示制御部、１５４…表示媒体、１５５…画像抽出部、１５６…画像信号生成部、１５７…送信部、１５８…表示領域描画部、１５９…抽出領域決定部、１６０…抽出領域設定部、２００…プロジェクタ、２１０…ＣＰＵ、２１１…ＲＯＭ、２１２…ＲＡＭ、２１３…通信インターフェイス、２１４…画像信号処理コントローラ、２１５…液晶ライトバルブ、２１６…操作入力部インターフェイス、２１７…操作ボタン、２１９…画像メモリ、２２０…投写画像生成光学系、２２１…発光部、２２２…光源光学系、２２３…色分離光学系、２２４…液晶ライトバルブ、２２５…色合成光学系、２３０…投写光学系、２３１…投写レンズ、２５０…受信部、２５５…投写信号生成部、２５６…画像抽出部。
【図１】
2006092089.tif 000003
【図２】
2006092089.tif 000004
【図３】
2006092089.tif 000005
【図４】
2006092089.tif 000006
【図５】
2006092089.tif 000007
【図６】
2006092089.tif 000008
【図７】
2006092089.tif 000009